(57)【要約】【課題】ステージ部材の着脱を容易にするとともに、ステージ部材の着脱に対する耐久性および着脱作業の確実性を向上させる。【解決手段】ステージ部材１４０は、前面下部に配された係合爪１４６と、後面部１４４に配された係合凸部１４５とを有し、基部枠体１０２は、底面部１０２ｃに配された係合孔１０２ｄと、背面部１０２ａに配された係合凹部１０２ｂとを有している。ステージ部材１４０は、係合爪１４６を係合孔１０２ｄに係合させた状態で回動され、この回動時に係合凸部１４５が背面部１０２ａを押圧して、この背面部１０２ａを弾性的に変形させることによって、係合凸部１４５が係合凹部１０２ｂに係合するようになっている。【選択図】          図１
2004208854.tif 000002
【特許請求の範囲】
【請求項１】
弾発された遊技球が流下する遊技領域内に設けられた基台と、前記基台に取り付けられるステージ部材とを有する弾球遊技機において、
前記ステージ部材および前記基台は、各々互いに係合および離脱可能であって、
前記ステージ部材と前記基台との組付けおよび取外しの際の支点部となる第１の係合部と、
前記組付けおよび取外しの際に、前記ステージ部材および前記基台の少なくとも一方が有する弾性面部の変形により、互いの係合および離脱が許容される第２の係合部とを有することを特徴とする弾球遊技機。
【請求項２】
前記ステージ部材および前記基台が各々有する前記第２の係合部のうち、一方の第２の係合部は前記弾性面部に形成され、
他方の第２の係合部は、前記ステージ部材と前記基台との組付けおよび取外しの際に、前記弾性面部を押圧することにより弾性的に変形させ得る形状をなしていることを特徴とする請求項１記載の弾球遊技機。
【請求項３】
前記基台は、底面部と背面部を有してなり、該背面部が前記弾性面部とされていることを特徴とする請求項１または２に記載の弾球遊技機。
【発明の詳細な説明】
【０００１】
【発明の属する技術分野】
本発明は、遊技球が弾発される遊技部を備えたパチンコ機等の弾球遊技機に関し、詳しくは、前記遊技部内に配されるステージ部材の構成に関するものである。
【０００２】
【従来の技術】
従来、弾球遊技機の代表例であるパチンコ機として、下記特許文献１に記載されたものが知られている。このパチンコ機は、遊技盤の表面に形成された遊技部内に、複数の図柄を変動表示する図柄表示装置を備えている。この図柄表示装置における図柄の変動表示は、遊技部内に設けた始動入賞口へ遊技球が入賞することを条件として開始され、図柄の変動表示が停止した際の表示態様が所定の賞態様を構成した場合には、より多くの賞球を獲得可能な特別遊技へ移行できるようになっている。
【０００３】
また、図柄表示装置の下方位置には、左右方向に延びるステージを構成するステージ部材が設けられている。このステージ部材は、遊技部から流入してきた遊技球を一旦受け止めて、遊技部へ再度流下させるもので、ステージ部材に流入してきた遊技球は、ステージ部材上を左右に転動した後、始動入賞口の上方位置から遊技部内に流下されて、始動入賞口へ入賞する可能性が生じるようになっている。
【０００４】
【特許文献１】
特開平１１−１９２８９号公報
【０００５】
【発明が解決しようとする課題】
ところで、上述したステージ部材を着脱容易な構成とできれば、ステージ部材の組み付け作業や、ステージ部材が破損した場合の交換作業が容易となるほか、弾球遊技機毎にステージ部材の態様を変えて、弾球遊技機個々の装飾性に特徴を持たせたり、ステージ部材のみを交換することによって弾球遊技機の見た目の印象を変えたりすることも容易になるなどの利点がある。従来一般的な弾球遊技機では、ステージ部材は、ネジやビス等により固定されるように構成されていたが、上記特許文献１には、ステージ部材を、ネジ等を用いずに着脱可能とする構成の態様が開示されている。
【０００６】
しかし、この特許文献１に記載された態様では、次のような問題がある。すなわち、この態様では、ステージ部材に小突起を、ステージ部材を支持する側の支持部材に穴をそれぞれ形成し、小突起と穴とが互いに嵌合したり、その嵌合が外れたりすることにより、ステージ部材の着脱が図られている。このため、小突起および穴は、これらの嵌合および離脱時に弾性的に変形するように構成されている。しかし、弾性的に変形する部分が小突起あるいは穴という局所部分に集中しているので、嵌合、離脱の際に小突起や穴が破損しやすいという問題がある。また、このような小突起と穴との局所的な弾性変形により互いを嵌合させる構成の場合、小突起と穴とが嵌合したか否かを作業員が感覚的に確認しにくいため、ステージ部材の支持部材への組み付けが十分に行われない虞があるという問題もある。
【０００７】
本発明は上記事情に鑑みなされたもので、ステージ部材の着脱が容易で、かつステージ部材の着脱に対する耐久性およびその着脱作業の確実性を向上し得る弾球遊技機を提供することを目的とする。
【０００８】
【課題を解決するための手段】
本発明の弾球遊技機は、上記課題を解決するため、以下の特徴点を備えている。なお、本発明の弾球遊技機の各構成要素について、図面に付した符号を参照して、具体的な適用例を示すが、各構成要素はこれらに限定されるものではない。
【０００９】
すなわち、本発明の弾球遊技機（パチンコ機１）は、弾発された遊技球が流下する遊技領域（遊技部５２）内に設けられた基台（基部枠体１０２）と、前記基台（遊技部５２）に取り付けられるステージ部材（１４０）とを有する弾球遊技機（パチンコ機１）において、
前記ステージ部材（１４０）および前記基台（基部枠体１０２）は、各々互いに係合および離脱可能であって、
前記ステージ部材（１４０）と前記基台（基部枠体１０２）との組付けおよび取外しの際の支点部となる第１の係合部（係合爪１４６、係合孔１０２ｄ）と、
前記組付けおよび取外しの際に、前記ステージ部材（１４０）および前記基台（基部枠体１０２）の少なくとも一方が有する弾性面部（背面部１０２ａ）の変形により、互いの係合および離脱が許容される第２の係合部（係合凸部１４５、係合凹部１０２ｂ）とを有することを特徴とするものである。
【００１０】
前記ステージ部材は、前記第１の係合部を支点部として前記基台に対して着脱される。着脱の際、前記弾性面部が弾性的に変形され、これにより前記第２の係合部の互いの係合および離脱が許容される。
【００１１】
なお、前記「弾性面部」は、前記ステージ部材および前記基台のうちの一方のみが有する態様とすることも、あるいは両方が有する態様とすることも可能である。
【００１２】
また、「支点部」とは、ステージ部材を基台に着脱する作業を行なう上で何らかの拠り所となる部分、例えば、ステージ部材と基台との組付けの際に最初に両者を組み合わせる部分や、両者を組み合わせる際に必要となる動作（例えば、スライドや回転）の方向を規定する部分、あるいは両者の組み付けおよび取外しの際にステージ部材の回動中心になる部分等を意味する。
【００１３】
本発明において、前記ステージ部材（１４０）および前記基台（基部枠体１０２）が各々有する前記第２の係合部（係合凸部１４５、係合凹部１０２ｂ）のうち、一方の第２の係合部（係合凹部１０２ｂ）は前記弾性面部（背面部１０２ａ）に形成され、
他方の第２の係合部（係合凸部１４５）は、前記ステージ部材（１４０）と前記基台（基部枠体１０２）との組付けおよび取外しの際に、前記弾性面部（背面部１０２ａ）を押圧することにより弾性的に変形させ得る形状をなすように構成してもよい。
【００１４】
この構成においては、ステージ部材は、第１の係合部を支点部として基台に対して組み付けられる。組付けの際、前記一方の第２の係合部が前記弾性面部を押圧することにより弾性的に変形させ、これにより第２の係合部が互いに係合される。
【００１５】
また、前記基台（基部枠体１０２）は、底面部（１０２ｃ）と背面部（１０２ａ）を有してなり、該背面部（１０２ａ）が前記弾性面部（背面部１０２ａ）となるようにすることができる。
この構成においては、前記ステージ部材は、前記第１の係合部を支点部として前記基台に対して着脱される。着脱の際、前記背面部が弾性的に変形され、これにより前記第２の係合部の互いの係合および離脱が許容される。
【００１６】
【発明の実施の形態】
以下、本発明の実施形態について図面を参照しながら説明する。なお、以下の説明では、代表的な弾球遊技機としてのパチンコ機に、本発明を適用した例について説明を行なう。
【００１７】
＜パチンコ機の概略構成＞
まず、本発明の一実施形態に係るパチンコ機の全体構成を、図８、図９を用いて説明する。図８、図９は、本発明の一実施形態に係るパチンコ機を示すもので、図８はパチンコ機の正面図、図９はパチンコ機の斜視図である。
【００１８】
本発明の一実施形態に係るパチンコ機１は、図８、図９に示すように、遊技機本体の一部として機能する外枠２と、この外枠２の上半部に開閉可能に取り付けられたフロントドア３を備えており、その下方には操作部４が設けられている。
【００１９】
操作部４には、遊技に使用する遊技球を貯留するとともに賞として払い出される遊技球を受け入れる上皿５と、上皿５からオーバーフローした遊技球を受け入れる下皿６とが上下に並べて取り付けられている。また、下皿６の右側には遊技球の発射操作を行なう発射ハンドル７が設けられ、下皿６の左側には灰皿８が設けられている。さらに、上皿５には、当該パチンコ機１における球貸操作等を行なう操作パネル９が設けられている。
【００２０】
また、フロントドア３には、遊技部を前方側から覆うようにしてガラス板等からなる透明板１６が取り付けられており、フロントドア３の上部前面には遊技盤（図示せず）が取り付けられている。さらに、フロントドア３には、遊技部の周囲前方に位置するようにして装飾枠１０が設けられており、装飾枠１０の上部には、左右一対のスピーカ１１が配設されている。
【００２１】
＜遊技盤＞
フロントドア３の上部前面に取り付けられた遊技盤は、図８に示すように、その表面に一対のガイドレール５１で囲まれた、遊技領域としての略円形の遊技部５２を備えており、遊技部５２内には、複数の障害釘や風車等の障害部材５３が配設されるとともに、複数の特別図柄が変動表示されるとともに演出画像が表示される表示画面５４を備えた画像表示装置と、普通図柄を変動表示する普通図柄表示部５５（表示画面５４において画像表示される）と、複数の入賞口と、いずれの入賞口にも入賞しなかった遊技球を遊技部５２内から排出するアウト口５６とが設けられている。
また、上記表示画面５４の周囲には、遊技盤の表面から立ち上がる画面枠部材１００が設けられている。
【００２２】
＜入賞口＞
上記入賞口は、その機能によって複数種類に分かれており、遊技球が入賞したことを条件として所定数の賞球を排出する一般入賞口５９と、遊技球が通過したことを条件として、普通図柄表示部５５における普通図柄の変動表示を開始させる普通図柄始動口６０と、遊技球を受け入れ易い状態と、遊技球を受け入れ難い状態との間で切換可能な変動部材（以下、普通電動役物６１と称す）を有し、遊技球が入賞したことを条件として表示画面５４における特別図柄の変動表示を開始させる始動入賞口６２と、遊技球を受け入れ易い状態と遊技球を受け入れ難い状態との間で切換可能となっており、表示画面５４における図柄の停止表示態様が所定の賞態様を構成した場合に、所定時間および所定回数だけ遊技球を受け入れ易い状態に切り換えられる大入賞口６３とからなる。
【００２３】
＜普通図柄始動口＞
上記普通図柄始動口６０は、始動入賞口６２の左上方に設けられており、通過する遊技球を検出するようになっている。この普通図柄始動口６０の通過球は、４個まで記憶可能となっており、この入賞記憶に基づいて、普通図柄表示部５５における図柄の変動表示が行なわれる。
【００２４】
＜始動入賞口＞
上記始動入賞口６２の左右には、遊技球を受け入れ易い状態と、遊技球を受け入れ難い状態との間で切換可能なチューリップ状の普通電動役物６１が設けられている。この普通電動役物６１は、通常の状態では遊技球を受け入れ難い状態となっており、普通図柄表示部５５において「当たり」となった場合に、所定時間（例えば、０．３秒間）だけ遊技球を受け入れ易い状態に切り換えられる。また、始動入賞口６２への入賞球は、４個まで記憶可能となっており、この入賞記憶に基づいて、表示画面５４における図柄の変動表示が行なわれる。
【００２５】
＜画像表示装置＞
上記画像表示装置は、例えば液晶表示装置からなり、遊技部５２の略中央に設けられた表示画面５４において、画像で表現される複数の特別図柄を変動表示するとともに、遊技状態に対応したアニメーション表示を行なうことにより、遊技演出を行なうことができるようになっている。
【００２６】
表示画面５４に表示される特別図柄は、例えば「０」「１」「２」・・・「９」「１０」「１１」等の数字からなり、停止表示された数字の組み合わせが「０」「０」「０」、「７」「７」「７」等のように３個とも同一の数字となった場合を「大当たり」として、一般遊技と比較して遊技者に有利な特別遊技を行なうことができる。
【００２７】
この特別遊技とは、例えば大入賞口６３を、所定時間および所定回数だけ遊技球を受け入れ易い状態に切り換えて、一般遊技よりも多くの遊技球を入賞させることにより、多くの賞球を獲得することができるような遊技である。
【００２８】
＜普通図柄表示部＞
上記普通図柄表示部５５は、表示画面５４内に画像として表示されるようになっている。この普通図柄表示部５５では、例えば２個の普通図柄が交互に点滅するようになっており、２個の普通図柄の点滅が終了して「当たり」が表示された場合に、始動入賞口６２に設けられた普通電動役物６１を、所定時間だけ遊技球を受け入れ易い状態に切り換えて、始動入賞口６２に遊技球を入賞させ易くする。
【００２９】
なお、普通図柄表示部５５は、上述した構成の他に、２個の普通図柄表示ＬＥＤを備えて構成することができ、また、例えば７セグメント表示器等により構成することもできる。この場合には、７セグメント表示器に表示する普通図柄として、例えば「０」「１」「２」・・・「７」「８」「９」等の数字を変動表示し、停止表示された数字が「３」あるいは「７」となった場合を「当たり」とする。
【００３０】
＜画面枠部材＞
次に、上記画面枠部材１００について、図４〜図７を用いてより詳細に説明する。図４は、画面枠部材１００の全体構成を示す図で、同図（ａ）は正面図、同図（ｂ）は同図（ａ）のＡＡ線に沿った断面図である。図５は、画面枠部材１００の外観斜視図、図６は、その分解斜視図である。また、図７は、画面枠部材１００の背面側におけるＬＥＤの配置例を示す図である。
【００３１】
画面枠部材１００は、図６に示すように、遊技盤に取り付けられる取付枠体１０１と、この取付枠体１０１の前面側に取り付けられる基部枠体１０２と、これら基部枠体１０２および取付枠体１０１の間に配設される複数のＬＥＤ基板１０３と、基部枠体１０２の前面側に配される各種の演出部（１１０，１２０，１３０，１４０）とを備えてなる。
【００３２】
基部枠体１０２の背面の略中央部には、画像表示装置の表示画面５４（図８参照）が臨む画面用開口１０４が形成されており、また、基部枠体１０２の内側部分には、画面用開口１０４の前方空間を囲むように構成された凹室１０５が設けられている。また、基部枠体１０２には、流下通路部（ワープルート）１０６が設けられている。この流下通路部１０６は、図５に示すように、基部枠体１０２の頂部に設けられた導入口１０６ａから凹室１０５内への排出口１０６ｂまでを繋ぐ経路と、導入口１０６ａから遊技部５２（図８参照）への排出口１０６ｃまでを繋ぐ経路とを備えており、遊技部５２から導入口１０６ａに流入した遊技球を、一旦遊技者から見えない状態とした後、排出口１０６ｂから凹室１０５内に排出したり、排出口１０６ｃから遊技部５２に再度排出したりするように構成されている。
【００３３】
上記演出部は、正面側から見て、凹室１０５の左側方に位置する第１補助演出表示部１１０と、凹室１０５の右側方に位置する第２補助演出表示部１２０と、凹室１０５の上方に位置する演出表示部１３０と、凹室１０５の下辺部に位置するステージ部材１４０とに分けられる。
【００３４】
第１補助演出表示部１１０は、図６に示すように、前面側にキャラクタの図柄等が形成される回動部材１１１を備えてなる。この回動部材１１１は、流下通路部１０６内を凹室１０５に向かって流れる遊技球と接触する位置に配置されており、接触時に遊技球から受ける力によって、回転あるいは所定角度範囲内で揺動するように構成されている。
【００３５】
第２補助演出表示部１２０は、図４（ａ）に示すように、前述した特別遊技への移行が可能となる「大当たり」が確定したことを表示する大当たり確定表示部１２１と、上記普通図柄始動口６０（図８参照）の通過記憶個数を表示する４個の普通図柄記憶表示部１２２とを備えている。また、大当たり確定表示部１２１の下方位置には、「大当たり」となる可能性の程度を表示する４個の大当たり確率表示部１２３が設けられている。これら大当たり確定表示部１２１、普通図柄記憶表示部１２２、大当たり確率表示部１２３の背面側には、図７に示すように、それぞれＬＥＤ（図７中に黒丸で表示）が配されており、その点灯状態によって、「大当たり」となる可能性の程度を表示したり、普通図柄始動口６０の通過記憶個数を表示したりできるように構成されている。
【００３６】
また、図４（ｂ）に示すように、第１補助演出表示部１１０の前面部１１０ａと第２補助演出表示部１２０の前面部１２０ａは、画面枠部材１００の他の部分に比べて前方に位置するとともに、遊技部５２（図８参照）の表面に対して所定角度（本実施形態では８度）内向きに傾斜している。すなわち、第１補助演出表示部１１０の前面部１１０ａの軸線Ｌ１（前面部１１０ａの中心部を通り、前面部１１０ａと略直角な直線）と、第２補助演出表示部１２０の前面部１２０ａの軸線Ｌ２（前面部１２０ａの中心部を通り、前面部１２０ａと略直角な直線）とが、前方位置において互いに交差（交わらなくてもよい）するように構成されている。
【００３７】
演出表示部１３０は、図４（ａ）に示すように、その略中央部に配された、男性キャラクタを模して形成された中央表示部１３１と、その両脇に２個ずつ配された、前記始動入賞口６２（図８参照）への入賞記憶個数を表示する４個の特別図柄記憶表示部１３２と、アーチ状に形成された装飾表示部１３３とを備えている。これら中央表示部１３１、特別図柄記憶表示部１３２、装飾表示部１３３の背面側には、図７に示すように、それぞれＬＥＤが配されており、その点灯状態により、所定の演出を行なったり、入賞状況を表示したりできるように構成されている。
【００３８】
＜ステージ部材の構成＞
次に、前記ステージ部材１４０について、図１〜図３も用いながら説明する。図１は、ステージ部材１４０および基部枠体１０２の断面図、図２は、ステージ部材１４０と基部枠体１０２との関係を示す斜視図、図３は、ステージ部材１４０を基部枠体１０２に組み付ける手順を示す図である。なお、図１〜図３においては、ステージ部材１４０および基部枠体１０２の構成を簡略化して示している。
【００３９】
ステージ部材１４０は、図５に示すように、流下通路部１０６を経て排出口１０６ｂから凹室１０５内に導かれた遊技球を一時滞留させた後、前記始動入賞口６２（図８参照）に流下させるステージ１４１を、その上面部に備えている。このステージ１４１はさらに、図２に示すように、高さの異なる３つの部分に区分けされており、その各部分には、遊技球をステージ部材１４０の下部に導くための落下口１４２が形成されている。
【００４０】
また、ステージ部材１４０は、プラスチック樹脂等の光透過性を有する透光部材により、基部枠体１０２とは別体に構成されている。そして、ステージ部材１４０の上面部や前面部１４３（図４参照）を構成する部分には、透過光および反射光を散乱させる加工が施されている。
【００４１】
また、図２に示すように、ステージ部材１４０の後面部１４４には３つの係合凸部（第２の係合部の一方）１４５が形成されており、図６に示すように、ステージ部材１４０の前面下部には鉤状に形成された２つの係合爪（第１の係合部の一方）１４６が形成されている。係合凸部１４５は、先端部の周囲が面取りされた略円柱状に形成されており、後述するように、ステージ部材１４０を基部枠体１０２に着脱する際に、基部枠体１０２の背面部１０２ａを弾性的に変形させ得る形状となっている。
【００４２】
一方、図２に示すように、基部枠体１０２の背面部１０２ａには、前記３つの係合凸部１４５とそれぞれ係合する３つの係合凹部１０２ｂ（第２の係合部の他方）が形成されており、基部枠体１０２の底面部１０２ｃには、前記２つの係合爪１４６とそれぞれ係合する２つの係合孔１０２ｄ（第１の係合部の他方）が形成されている。この基部枠体１０２は、ステージ部材１４０の基台として構成されており、また、基部枠体１０２の背面部１０２ａは、弾性的に変形および復元可能な弾性面部として構成されている。
【００４３】
また、図２に示すように、基部枠体１０２の背面部１０２ａには、左右方向に１列に並ぶように配列された複数（本実施形態では１０個）のＬＥＤ用開口１０２ｅが形成されている。この各ＬＥＤ用開口１０２ｅは、図６に示すＬＥＤ基板１０３に実装されるＬＥＤ（図示せず）の発光部が臨むように構成されている。このＬＥＤからの光によって、ステージ部材１４０は背面側より光を照射される。照射された光は、ステージ部材１４０の後面部１４４を透過した後、さらに上面部および前面部１４３を透過する際に散乱し、この散乱光によって、ステージ１４１上の遊技球やステージ部材１４０自体が照らし出されるようになっている。
【００４４】
＜ステージ部材の着脱手順＞
以上のように構成されているステージ部材１４０は、図３に示す手順によって、基部枠体１０２に組み付けられる。すなわち、同図（ａ）に示すように、まず、ステージ部材１４０の前面下部に配された係合爪１４６を、基部枠体１０２の底面部１０２ｃに配された係合孔１０２ｄに係合させる。そして、この係合させた部分を回動中心として、ステージ部材１４０を図中矢線方向に回動させる。
【００４５】
ステージ部材１４０を回動させると、同図（ｂ）に示すように、ステージ部材１４０の後面部１４４に配された係合凸部１４５が、基部枠体１０２の背面部１０２ａを押圧し、該背面部１０２ａを図中矢線方向に撓むように弾性的に変形させる。この背面部１０２ａの弾性変形によって、ステージ部材１４０のさらなる回動が可能となるとともに、背面部１０２ａに配された係合凹部１０２ｂに対して、係合凸部１４５が係合することが許容される。そして、同図（ｃ）に示すように、係合凸部１４５が係合凹部１０２ｂに係合するとともに、背面部１０２ａが弾性的に復元することによって、ステージ部材１４０が基部枠体１０２に組み付けられる。
【００４６】
基部枠体１０２に組み付けられたステージ部材１４０を取り外す場合は、同図（ｃ）に示す状態においてステージ部材１４０を、係合爪１４６と係合孔１０２ｄとが係合した部分を回動中心として、図中反時計方向に回動させる。この回動動作により、ステージ部材１４０を前方に引き出す力が作用し、この力によって係合爪１４６が弾性的に変形されるとともに、係合爪１４６と係合孔１０２ｄとが係合した部分を支点とした梃子の作用により係合凸部１４５が係合凹部１０２ｂをこじる力が発生し、この力によって基部枠体１０２の背面部１０２ａが弾性的に変形される。これら係合爪１４６および背面部１０２ａの弾性変形によって、ステージ部材１４０のさらなる回動が可能となるとともに、係合凹部１０２ｂに係合されていた係合凸部１４５が、該係合凹部１０２ｂから離脱することが許容される。
【００４７】
そして、係合凸部１４５を係合凹部１０２ｂから離脱させた後、さらに係合爪１４６を係合孔１０２ｄから離脱させて、ステージ部材１４０を基部枠体１０２から取り外す。係合凸部１４５が係合凹部１０２ｂから離脱した後、背面部１０２ａは弾性的に復元して、元の状態に復帰する。なお、ステージ部材１４０を取り外す際に、手や器具等を用いて、基部枠体１０２の背面部１０２ａを弾性的に変形させ、係合凸部１４５を係合凹部１０２ｂから離脱させるようにしてもよい。この場合、係合凸部１４５がより高く形成され、係合凹部１０２ｂがより深く形成されていても、ステージ部材１４０を基部枠体１０２から取り外すことが可能となる。
【００４８】
上述したようにステージ部材１４０および基部枠体１０２が構成されていることにより、ステージ部材１４０を基部枠体１０２に容易に着脱することが可能となる。しかも、ステージ部材１４０を着脱する作業員は、ステージ部材１４０の係合爪１４６と基部枠体１０２の係合孔１０２ｄとの係合部分を拠り所として、着脱作業を行なえるので、着脱の手順が分かりやすく、また作業も極めて行ないやすい。
【００４９】
なお、本実施形態では、ステージ部材１４０を着脱する際、係合爪１４６が梃子の支点、係合凸部１４５が梃子の力点として作用するため、着脱に必要な力が低減され、極めて容易に着脱作業を行なうことが可能となっている。また、基部枠体１０２は、背面部１０２ａと底面部１０２ｃという、互いに略直角に配された２つの面によりステージ部材１４０を支持するように構成されているので、ステージ部材１４０を確実に支持することが可能となっている。
【００５０】
また、ステージ部材１４０の係合凸部１４５と基部枠体１０２の係合凹部１０２ｂとの係合および離脱は、基部枠体１０２の背面部１０２ａが弾性的に変形することによって許容されるようになっている。このように、弾性的に変形する部分が、背面部１０２ａという広い領域に設定されているので、従来技術のように弾性変形する部分が局所的となっているために、その部分が破損しやすいという問題が生じにくくなっている。したがって、ステージ部材１４０の着脱に対する耐久性を向上させることが可能となる。さらに、係合凸部１４５や係合凹部１０２ｂは、それ自体が弾性的に変形するように構成する必要がないので、簡易な形状とすることが可能になるという利点もある。
【００５１】
また、ステージ部材１４０は、係合凸部１４５が基部枠体１０２の係合凹部１０２ｂに係合した時点で、基部枠体１０２に組み付けられる。係合凸部１４５が係合凹部１０２ｂに係合する前後で、基部枠体１０２の背面部１０２ａが弾性的に変形および復元するので、作業者は、係合凸部１４５と係合凹部１０２ｂが互いに係合したか否かを感覚的に容易に判断することが可能となる。このため、ステージ部材１４０の基部枠体１０２への組付け作業を、確実に行なうことが可能となる。
【００５２】
＜他の実施形態＞
以上、本発明の一実施形態について説明したが、本発明は、上記実施形態に限られず、種々の態様変更を行なうことが可能である。例えば、上記実施形態では、基部枠体１０２の背面部１０２ａを弾性面部としているが、ステージ部材１４０の後面部１４４を弾性面部としたり、これらの両方を弾性面部としたり、あるいは基部枠体１０２の底面部１０２ｃを弾性面部とすることも可能である。
【００５３】
基部枠体１０２の底面部１０２ｃを弾性面部とする場合、この底面部１０２ｃに第２の係合部の一方を配するとともに、背面部１０２ａには第１の係合部の一方を配するように構成できる。この場合、ステージ部材１４０の前面下部には第２の係合部の他方を、後面部１４４には第１の係合部の他方をそれぞれ配するように構成することが可能である。
【００５４】
また、第１乃至第２の係合部の形状は、適宜変更することが可能である。例えば、上記実施形態では、基部枠体１０２の背面部１０２ａに配された第２の係合部が凹状に、ステージ部材１４０の後面部１４４に配された第２の係合部が凸状に形成されているが、基部枠体１０２の背面部１０２ａに配された第２の係合部を凸状に、ステージ部材１４０の後面部１４４に配された第２の係合部を凹状に形成することも可能である。
【００５５】
また、上記実施形態では、基部枠体１０２によるステージ部材１４０の支持が、係合凹部１０２ｂと係合凸部１４５、および係合孔１０２ｄと係合爪１４６の相互の係合によってなされているが、より強固にステージ部材１４０を基部枠体１０２に支持させたい場合は、さらにステージ部材１４０を基部枠体１０２に対してビス止め、あるいはネジ止めするように構成してもよい。あるいは、ステージ部材１４０が基部枠体１０２に組み付けられた際、基部枠体１０２の背面部１０２ａが弾性的に復元する力によって、ステージ部材１４０と基部枠体１０２との組付け状態が維持されるように構成することも可能である。
【００５６】
また、上記実施形態では、ステージ部材１４０の基台が画面枠部材１００の基部枠体１０２とされているが、基台を他の部材、例えば遊技盤とすることも可能である。
【００５７】
また、上記実施形態では、ステージ部材１４０全体を透光部材で構成しているが、一部を透光部材で構成し、他の部分については光を透過しない部材で構成してもよい。
【００５８】
また、上記実施形態の第１補助演出表示部１１０では、回動部材１１１を遊技球から受ける力によって駆動させる構成としているが、回動部材１１１に代えて他の動く機構部材を設けるようにしてもよく、あるいは機構部材を電動により駆動させるようにしてもよい。
【００５９】
また、第２補助演出表示部１２０は、大当たり確定表示部１２１を備えているが、このような遊技状態を告知する表示を行なうのではなく、第１補助演出表示部１１０で行なうような、より演出性に富んだ表示を行なうようにしてもよい。
【００６０】
また、上述した実施形態ではパチンコ機を例にとって説明を行ったが、本発明に係る弾球遊技機はパチンコ機に限られるものではなく、例えばアレンジボール遊技機等にも適用することができる。
【００６１】
【発明の効果】
以上説明したように、本発明に係る弾球遊技機によれば、第１係合部を支点部として、ステージ部材を基台に対して容易に着脱することが可能となる。また、弾性面部が弾性変形することによって、第２の係合部の互いの係合および離脱がなされるので、第２の係合部を磨耗しにくく構成することができ、ステージ部材の着脱に対する耐久性を向上させることが可能となる。また、弾性面部が弾性的に変形することによって、第２の係合部の互いの係合および離脱が許容されるので、作業者は、これらが互いに係合したか否かを感覚的に容易に判断することが可能となる。このため、ステージ部材の着脱作業が容易かつ確実に実行されるようにすることが可能となる。
【００６２】
また、一方の第２の係合部が前記弾性面部に形成され、他方の第２係合部が前記ステージ部材と前記基台との組付けおよび取外しの際に、弾性面部を押圧することにより弾性的に変形させ得る形状をなしている態様のものによれば、ステージ部材の着脱作業をより容易に行なうことが可能となる。
【００６３】
また、前記基台が底面部と背面部を有してなり、該背面部が前記弾性面部とされている態様のものによれば、基台によるステージ部材の支持をより確実なものとすることが可能となる。
【図面の簡単な説明】
【図１】本発明の一実施形態に係るパチンコ機のステージ部材および基部枠体の断面図
【図２】図１に示すステージ部材と基部枠体との関係を示す斜視図
【図３】図１に示すステージ部材を基部枠体に組み付ける手順を示す図
【図４】本発明の一実施形態に係るパチンコ機の画面枠部材の構成を示す図
【図５】図４に示す画面枠部材の外観斜視図
【図６】図４に示す画面枠部材の分解斜視図
【図７】図４に示す画面枠部材の背面側におけるＬＥＤの配置例を示す図
【図８】本発明の実施形態に係るパチンコ機の正面図
【図９】図８に示すパチンコ機の斜視図
【符号の説明】
１  パチンコ機
２  外枠
３  フロントドア
４  操作部
５  上皿
６  下皿
７  発射ハンドル
８  灰皿
９  操作パネル
１０  装飾枠
１１  スピーカ
１６  透明板
５１  ガイドレール
５２  遊技部
５３  障害部材
５４  表示画面
５５  普通図柄表示部
５６  アウト口
５９  一般入賞口
６０  普通図柄始動口
６１  普通電動役物
６２  始動入賞口
６３  大入賞口
１００  画面枠部材
１０１  取付枠体
１０２  基部枠体（支持部材）
１０２ａ  背面部（弾性面部）
１０２ｂ  係合凹部（第２の係合部）
１０２ｃ  底面部
１０２ｄ  係合孔（第１の係合部）
１０２ｅ  ＬＥＤ用開口
１０３  ＬＥＤ基板
１０４  画面用開口
１０５  凹室
１０６  流下通路部
１０６ａ  導入口
１０６ｂ，１０６ｃ  排出口
１１０  第１補助演出表示部
１１０ａ，１２０ａ  前面部
１１１  回動部材
１２０  第２補助演出表示部
１２１  大当たり確定表示部
１２２  普通図柄記憶表示部
１２３  大当たり確率表示部
１３０  演出表示部
１３１  中央表示部
１３２  特別図柄記憶表示部
１３３  装飾表示部
１４０  ステージ部材
１４１  ステージ
１４２  落下口
１４３  前面部
１４４  後面部
１４５  係合凸部（第２の係合部）
１４６  係合爪（第１の係合部）
Ｌ１，Ｌ２  軸線
【図１】
2004208854.tif 000003
【図２】
2004208854.tif 000004
【図３】
2004208854.tif 000005
【図４】
2004208854.tif 000006
【図５】
2004208854.tif 000007
【図６】
2004208854.tif 000008
【図７】
2004208854.tif 000009
【図８】
2004208854.tif 000010
【図９】
2004208854.tif 000011